(57)【要約】【課題】空気調和機の室外機を小型化する。【解決手段】空気調和機の室外機３は、室外熱交換器２４と圧縮機２１とを備える。室外熱交換器２４は、平面視において概ねＵ字型の形状を有する。圧縮機２１は、室外熱交換器２４に囲まれた空間に配置される。【選択図】　　　　図３
2004132624.tif 000002
【特許請求の範囲】
【請求項１】
平面視において概ねＵ字型の形状を有する室外熱交換器（２４）と、
前記室外熱交換器（２４）に囲まれた空間に配置される圧縮機（２１）と、
を備える空気調和機（１）の室外機（３）。
【請求項２】
前記圧縮機（２１）を含む電気部品（２１，６６）が収容される機械室ケーシング（６１）をさらに備え、
前記機械室ケーシング（６１）は、前記室外熱交換器（２４）に囲まれた空間に配置される、
請求項１に記載の空気調和機（１）の室外機（３）。
【請求項３】
前記室外熱交換器（２４）に空気を通すファン（２９）と、
前記ファン（２９）が取り付けられ前記ファン（２９）を駆動するファンモータ（３０）と、
をさらに備え、
前記ファンモータ（３０）は、前記機械室ケーシング（６１）に取り付けられる、
請求項２に記載の空気調和機（１）の室外機（３）。
【請求項４】
前記ファン（２９）と前記室外熱交換器（２４）とは、前記機械室ケーシング（６１）を囲むように配置される、
請求項３に記載の空気調和機（１）の室外機（３）。
【請求項５】
前記室外熱交換器（２４）と前記機械室ケーシング（６１）と前記ファン（２９）とを収容する室外機ケーシング（５）をさらに備え、
前記室外熱交換器（２４）は、前記室外機ケーシング（５）の背面側に対向する背部（２４３）と、前記室外機ケーシング（５）の両側面側にそれぞれ対向する側部（２４４，２４５）とを有し、
前記ファン（２９）は、前記室外機ケーシング（５）の正面側に対向するように配置され、
前記機械室ケーシング（６１）は、前記背部（２４３）と前記側部（２４４，２４５）と前記ファン（２９）とに囲まれた空間に配置される、
請求項４に記載の空気調和機（１）の室外機（３）。
【発明の詳細な説明】
【０００１】
【発明の属する技術分野】
本発明は、空気調和機の室外機に関する。
【０００２】
【従来の技術】
一般に、空気調和機の室外機は、冷媒回路を構成する冷媒回路構成部品を備えており、この冷媒回路構成部品には、室外熱交換器と圧縮機とが含まれる。そして、圧縮機は、室外熱交換器から離れて配置されることが多い（特許文献１参照）。例えば、内部の空間が通風室と機械室とに分けられている空気調和機の室外機がある。通風室は、室外から取り込まれた空気を通すための空間であり、機械室は内部の構成部品を風雨から守るために通風室から仕切られている空間である。通風室と機械室とは正面視における左右方向に並んで配置され、通風室に熱交換器が配置され、機械室に圧縮機が配置される。
【０００３】
【特許文献１】
特開２００２−１４７７９５号公報（第３頁、図１及び図２）
【０００４】
【発明が解決しようとする課題】
しかし、上記のように圧縮機が室外熱交換器から離れて配置される場合、室外機の寸法が大きくなり易い。例示した空気調和機の室外機では、室外熱交換器と圧縮機とが、左右方向に並んだ通風室と機械室とにそれぞれ配置されるため、室外熱交換器と圧縮機とが左右方向に離れて配置される。このため、室外の左右方向の寸法が大きくなり易い。
【０００５】
本発明の課題は、空気調和機の室外機を小型化することにある。
【０００６】
【課題を解決するための手段】
請求項１に記載の空気調和機の室外機は、室外熱交換器と圧縮機とを備える。室外熱交換器は、平面視において概ねＵ字型の形状を有する。圧縮機は、室外熱交換器に囲まれた空間に配置される。
この空気調和機の室外機では、圧縮機がＵ字型の形状を有する室外熱交換器に囲まれた空間に配置される。従って、室外熱交換器に囲まれた空間が圧縮機を配置するための空間として利用される。このため、空気調和機の室外機を小型化することができる。
【０００７】
請求項２に記載の空気調和機の室外機は、請求項１に記載の空気調和機の室外機であって、圧縮機を含む電気部品が収容される機械室ケーシングをさらに備える。そして、機械室ケーシングは、室外熱交換器に囲まれた空間に配置される。この空気調和機の室外機では、機械室ケーシングが室外熱交換器に囲まれた空間に配置される。機械室ケーシングは、圧縮機を含む電気部品収容するため、圧縮機のみが設置されるよりも大きな設置空間が必要である。この空気調和機の室外機では、室外熱交換器に囲まれた空間が機械室ケーシングを配置する空間として利用される。このため、空気調和機の室外機をより小型化することができる。
【０００８】
請求項３に記載の空気調和機の室外機は、請求項２に記載の空気調和機の室外機であって、ファンとファンモータとをさらに備える。ファンは、室外熱交換器に空気を通す。ファンモータは、ファンが取り付けられファンを駆動する。そして、ファンモータは機械室ケーシングに取り付けられる。
この空気調和機の室外機では、ファンモータが機械室ケーシングに取り付けられる。そして、ファンモータにはファンが取付られる。従って、この空気調和機の室外機では、機械室ケーシングとファンとが重なって配置される。このため、この空気調和機では、空気調和機の室外機をより小型化することができる。
【０００９】
請求項４に記載の空気調和機の室外機は、請求項３に記載の空気調和機の室外機であって、ファンと室外熱交換器とは、機械室ケーシングを囲むように配置される。
この空気調和機の室外機では、ファンと室外熱交換器とは、機械室ケーシングを囲むように配置される。このため、ファンと室外熱交換器とに囲まれた空間が、機械室ケーシングが配置される空間として利用されている。このため、空気調和機の室外機をより小型化することができる。
【００１０】
請求項５に記載の空気調和機の室外機は、請求項４に記載の空気調和機の室外機であって、室外熱交換器と機械室ケーシングとファンとを収容する室外機ケーシングをさらに備える。室外熱交換器は、室外機ケーシングの背面側に対向する背部と、室外機ケーシングの両側面側にそれぞれ対向する側部とを有する。ファンは、室外機ケーシングの正面側に対向するように配置される。そして、機械室ケーシングは、背部と側部とファンとに囲まれた空間に配置される。
【００１１】
この空気調和機の室外機では、室外熱交換器が室外機ケーシングの両側面側と背面側とに対向しており、ファンが正面側に対向している。このため、この空気調和機の室外機には、室外熱交換器室外機とファンとによって水平方向を囲まれた空間が形成されている。例えば、機械室ケーシングが、この空間の外側に室外熱交換器と水平方向に並んで配置された場合、室外機は、少なくとも機械室の大きさだけ大型化する。しかし、この空気調和機の室外機では、機械室ケーシングが室外熱交換器室外機とファンとによって水平方向を囲まれた空間に配置される。このため、空気調和機の室外機をより小型化することができる。
【００１２】
【発明の実施の形態】
＜空気調和機の外観概略＞
本発明の一実施形態に係る空気調和機１の外観を図１に示す。
この空気調和機１は、室内の壁面などに取り付けられる室内機２と、室外に設置される室外機３とに分かれて構成されている。
【００１３】
室内機２には室内熱交換器が収納され、室外機３内には室外熱交換器が収納されている。そして、各熱交換器が連絡冷媒配管３１，３２により接続されることにより冷媒回路を構成している。
＜冷媒回路の全体構成＞
図２に、空気調和機１の冷媒回路の全体構成及びその他の構成を示す。
【００１４】
室内機２内には、室内熱交換器１１が収容されており、室内機２内で冷媒回路の一部を構成している。この室内熱交換器１１は、長さ方向両端で複数回折り返されてなる伝熱管と、伝熱管が挿通される複数のフィンとからなり、接触する空気との間で熱交換を行う。また、室内機２内には、クロスフローファン１２と、クロスフローファン１２を回転駆動する室内ファンモータ１３とが設けられている。クロスフローファン１２は、円筒形状に構成され、周面には多数の羽根が設けられており、回転軸と交わる方向に空気流を生成する。このクロスフローファン１２は、室内空気を室内機２内に吸い込ませるとともに、室内熱交換器１１との間で熱交換を行った後の空気を室内に吹き出させる。
【００１５】
室外機３には、圧縮機２１と、圧縮機２１の吐出側に接続される四路切換弁２２と、圧縮機２１の吸入側に接続されるアキュムレータ２３と、四路切換弁２２に接続された室外熱交換器２４と、室外熱交換器２４に接続された電動弁２５とが設けられている。これらは、室外機３内で冷媒回路の一部を構成している。電動弁２５は、フィルタ２６および液閉鎖弁２７を介して連絡冷媒配管３２に接続されており、この連絡冷媒配管３２を介して室内熱交換器１１の一端と接続される。また、四路切換弁２２は、ガス閉鎖弁２８を介して連絡冷媒配管３１に接続されており、この連絡冷媒配管３１を介して室内熱交換器１１の他端と接続されている。このように、これらの連絡冷媒配管３１，３２は、室内機２内の冷媒回路の構成部品と室外機３内の冷媒回路の構成部品とを連絡している。連絡冷媒配管３１，３２は、室内機２内の制御基板と室外機３内の制御基板とを電気的に接続する図示しない通信線と共に、集合連絡管４を形成する。
【００１６】
また、室外機３内には、室外熱交換器２４での熱交換後の空気を外部に排出するためのプロペラファン２９が設けられている。このプロペラファン２９は、室外ファンモータ３０によって回転駆動される。
＜室外機の構成＞
〔室外機ケーシング〕
室外機３は、図１に示すように、主として前板５１、側板５２，５３、底フレーム５４、天板５５により構成される室外機ケーシング５を備えている。室外機ケーシング５は、室外機３内の冷媒回路構成部品やその他の構成部品を収容する。
【００１７】
前板５１は、室外機３の前面を覆う樹脂製の部材である。前板５１には、複数のスリット状の開口からなる吹出口５１ａが設けられており、室外熱交換器２４を通った空気は、室外機３の内部の通風室ＳＰ１からこの吹出口５１ａを通って室外機３の外部へと吹き出す。また、前板５１のすぐ後方には、空気が通る開口を有するベルマウス５６が設けられている（図３参照）。
【００１８】
側板５２，５３には右側板５２及び左側板５３があり、これらは室外機３の側方を覆う部材である。ここでは、室外機３の正面視において右側に右側板５２、左側に左側板５３が設けられている。
底フレーム５４は、室外機３の下方を覆う部材であり、室外熱交換器２４や後述する機械室モジュール８等が取り付けられる。
【００１９】
天板５５は、室外機３の上方を覆う部材であり、室外機ケーシング５の上面を構成する。
なお、室外機３の背面には、図示しない保護金網が設けられている。
〔室外機の内部の空間〕
図３に室外機３の平面断面図、図４に室外機３の側面断面図を示す。なお、図３及び図４では、理解の容易のために冷媒配管の一部や配線の記載が省略されている。
【００２０】
室外機３の内部の空間は、主として、通風室ＳＰ１と機械室ＳＰ２とに分けられている。
通風室ＳＰ１は、室外熱交換器２４が配置され室外から取り込まれた空気が十分に通る空間となっている。
機械室ＳＰ２は、通風室ＳＰ１から仕切られており、外気からある程度隔離された空間となっている。このため、機械室ＳＰ２には、冷媒回路を構成する構成部品のうち水分に弱い電気部品等が収容される。機械室ＳＰ２は、室外機ケーシング５の正面視における左右方向の略中央にであって背面側に配置されている。この空気調和機１の室外機３では、後述するように両側面及び背面が室外熱交換器２４に対向し、前面がプロペラファン２９に対向している。従って、機械室ＳＰ２は、平面視に置いて室外熱交換器２４及びプロペラファン２９に囲まれた空間に配置される。このため、機械室ＳＰ２に収容される圧縮機２１等の構成部品も平面視に置いて室外熱交換器２４及びプロペラファン２９に囲まれた空間に配置される。なお、機械室ＳＰ２は、室外機ケーシング５の底面から上部付近までにわたって設けられている。
【００２１】
また、図４に示すように、室外機３の上部であって、通風室ＳＰ１及び機械室ＳＰ２の上方には、上部空間ＳＰ４が設けられている。この上部空間ＳＰ４には、冷媒回路の構成部品の一部や後述する制御基板６７が配置される。
〔通風室の内部の構成〕
通風室ＳＰ１の内部の構成について主として図３に基づいて説明する。
【００２２】
通風室ＳＰ１には、主として、室外熱交換器２４、プロペラファン２９、室外ファンモータ３０が配置されている。
室外熱交換器２４は、接触する空気との間で熱交換を行う。室外熱交換器２４は、室外機ケーシング５の背面側に対向する背部２４３と、室外機ケーシング５の両側面側にそれぞれ対向する側部２４４，２４５とを有する。側部２４４，２４５には、右側板５２に対向する右側部２４４と、左側板５３に対向する左側部２４５とがあり、それぞれ各側板５２，５３に平行にその内側に配置されている。室外機ケーシング５には、背面を覆う部材は設けられておらず、背面側が開放されている。このため、室外熱交換器２４の背部２４３は、室外機３の背面を覆う保護金網のすぐ内側に配置されている。背部２４３と側部２４４，２４５とは一体となって室外熱交換器２４を形成しており、背部２４３と側部２４４，２４５との間の部分は、平面視に置いて円弧状に湾曲している。このように、室外熱交換器２４は、一体的に形成されたＵ字型の形状を有している。室外熱交換器２４は、室外機３の背面及び両側面に対向するように配置されている。室外熱交換器２４は、高さ方向には室外機３の底フレーム５４から室外機３の上部付近までに亘って設けられている。また、室外熱交換器２４は、それぞれ長さ方向両側端で複数回折り返されてなる伝熱管と、伝熱管が挿通される複数のフィンとから構成されている。側部２４４，２４５の端部には、Ｕ字管２４ｃにより形成される伝熱管の折り返し部分が設けられている（図４参照）。
【００２３】
プロペラファン２９は、室外機３の背面側の室外空間ＳＰ３から通風室ＳＰ１の室外熱交換器２４を通り室外機３の前方側へと吹き出す空気の流れを生成する。プロペラファン２９は、室外熱交換器２４に対して空気の流れの下流側に配置されており、前板５１のすぐ内側（後方）に配置されている。プロペラファン２９は、正面視において室外機３の略中央に配置されており、室外機ケーシング５の正面に対向している。（図５参照）。
【００２４】
室外ファンモータ３０はプロペラファン２９の後方に配置されており、室外ファンモータ３０の駆動軸３０ａにプロペラファン２９が取り付けられる。室外ファンモータ３０は、プロペラファン２９を回転駆動して上述の空気の流れを生成させる。室外ファンモータ３０は、後述する機械室ケーシング６１の前面部分に通風室ＳＰ１に面するように取り付けられており、正面視において室外機３の略中心に配置される（図５参照）。
【００２５】
〔機械室ケーシング及び機械室の内部の構成〕
（機械室ケーシング）
機械室ＳＰ２は、機械室ケーシング６１によって通風室ＳＰ１から仕切られている。この機械室ケーシング６１は、図３に示すように、室外熱交換器２４とプロペラファン２９とによって囲まれる空間に配置されている。機械室ケーシング６１は、薄肉の金属板を曲げることによって形成されており、図３及び図４に示すように、機械室ＳＰ２の前方、側方及び後方を覆っている。機械室ケーシング６１は、室外熱交換器２４と略同じ高さを有している。
【００２６】
機械室ケーシング６１のうち機械室ＳＰ２の前面を覆う前面部分は、平坦になっており前板５１と略平行になっている。この前面部分の正面視における中心には、室外ファンモータ３０の後端が挿通される開口６２０が設けられている。また、この開口６２０の周囲は前面側に隆起しており、この隆起した部分に室外ファンモータ３０が螺子止めされる。機械室ケーシング６１の内側の上部には、後述するリアクタ６６が取り付けられている。
【００２７】
機械室ケーシング６１の背面は、側面から連続して湾曲する形状となっている。機械室ケーシング６１の背面は、室外熱交換器２４の背部２４３の前方に位置しており、背部２４３に対向している。室外機３においては、プロペラファン２９、室外ファンモータ３０、機械室ＳＰ２及び室外熱交換器２４の背部２４３が前方から順に配置され、機械室ＳＰ２はプロペラファン２９の後方にプロペラファン２９に対向するように配置される。
【００２８】
機械室ケーシング６１の側面の下端には、舌部６３０が設けられており、舌部６３０が室外機ケーシング５の底フレーム５４に螺子止めされることにより、機械室ケーシング６１が室外機３に取り付けられる。
（機械室の内部の構成）
機械室ケーシング６１の内部の機械室ＳＰ２には、電気部品や冷媒回路の構成部品が配置される。具体的には、機械室ＳＰ２には、圧縮機２１、アキュムレータ２３、リアクタ６６などが収容される。
【００２９】
圧縮機２１とアキュムレータ２３とは、リアクタ６６の下方に配置される。アキュムレータ２３は、圧縮機２１の側面に固定されており、圧縮機２１は、底フレーム５４に固定される。圧縮機２１は、機械室ケーシング６１に収容され、機械室ケーシング６１は室外熱交換器２４に囲まれた空間に配置される。従って、圧縮機２１は、室外熱交換器２４に囲まれた空間に配置されている。また、圧縮機２１は、圧縮機用ワイヤハーネスによって制御基板６７（図８参照）に接続される。
【００３０】
リアクタ６６は、上述したように機械室ケーシング６１の内側の上部に取り付けられ、リアクタ用ワイヤハーネスによって制御基板６７に接続される。
〔上部空間の内部の構成〕
上部空間ＳＰ４には、冷媒回路構成部品の一部等が配置される。具体的には、上部空間ＳＰ４には、液閉鎖弁２７、ガス閉鎖弁２８、四路切換弁２２及び制御基板６７が配置される。
【００３１】
液閉鎖弁２７とガス閉鎖弁２８とは、室内機２内の室内熱交換器１１と室外機３の冷媒回路構成部品とを連絡する連絡冷媒配管３１，３２が接続されるものである。液閉鎖弁２７には、室内熱交換器１１の一端から延びる連絡冷媒配管３２が接続される。ガス閉鎖弁２８には、室内熱交換器１１の他端から延びる連絡冷媒配管３１が接続される。液閉鎖弁２７とガス閉鎖弁２８とは、正面視における室外機３の上部の右側端に設けられ、平面視において中心よりもやや前方側に設けられている。液閉鎖弁２７とガス閉鎖弁２８とは、室外機ケーシング５の右側板５２のすぐ内側に配置されている。
【００３２】
また、液閉鎖弁２７とガス閉鎖弁２８とは、上方へ向かって突出する突出部２７１，２８１をそれぞれ有している。突出部２７１，２８１には閉鎖弁２７，２８の内部へと繋がる接続口が設けられている。この突出部２７１，２８１の接続口に室内機２から延びる連絡冷媒配管３１，３２が差し込まれフレアナットが締め付けられることにより、連絡冷媒配管３１，３２が液閉鎖弁２７とガス閉鎖弁２８とにそれぞれ接続される。連絡冷媒配管３１，３２は、室外機３の上面側から上部空間ＳＰ４に挿通されて、液閉鎖弁２７とガス閉鎖弁２８とにそれぞれ接続される。
【００３３】
四路切換弁２２は、内部冷媒配管によってガス閉鎖弁２８に接続されている。四路切換弁２２は、四路切換弁コイルを有しており、四路切換弁コイルは四路切換弁用ワイヤハーネスによって制御基板６７に接続される。
図５に示すように、四路切換弁２２の下方には、電動弁２５が配置されている。電動弁２５は、液閉鎖弁２７と内部冷媒配管によって接続されている。また、室外熱交換器２４からそれぞれ突出する伝熱管が、内部冷媒配管により電動弁２５および四路切換弁２２にそれぞれ接続されている。四路切換弁２２、室外熱交換器２４及び電動弁２５を繋ぐ内部冷媒配管は、前板５１のすぐ後方であって、正面視における右端に、室外機３の底面から上部にかけて取り回されている。また、四路切換弁２２は、内部冷媒配管により、機械室ＳＰ２に収容されている圧縮機２１及びアキュムレータ２３とさらに接続されている。このような冷媒回路構成部品と各冷媒回路構成部品を繋ぐ内部冷媒配管とは、ロウ付けされて固定されている。なお、図５は、室外機３の正面断面図であり、図３及び図４と同様に、内部冷媒配管と配線とが省略されている。
【００３４】
制御基板６７は、空気調和機１の制御を行うためのマイクロコンピュータチップや制御プログラムを格納するメモリなどの制御回路等がプリント基板に実装されたものであり、室内機２に配置される室内制御基板と共に空気調和機の制御を行う制御部を構成する。制御基板６７は、図３、図４及び図５に示すように機械室ＳＰ２の上方に配置されている。また、制御基板６７は、上述したように、リアクタ６６、圧縮機２１、四路切換弁２２及び電動弁２５と各ワイヤハーネスによって接続される他に、吐出管サーミスタ７１、熱交サーミスタ７２及び外気サーミスタ７３ともワイヤハーネスやリード線等によって接続される（図８参照）。吐出管サーミスタ７１は、圧縮機２１の吐出側の冷媒温度を検出して制御部へと送る。熱交サーミスタ７２は、室外熱交換器２４の冷媒温度を検出して制御部へと送る。外気サーミスタ７３は、室外温度を検出して制御部へと送る。
【００３５】
＜機械室モジュールの構成＞
この空気調和機１の室外機３では、室外機３の構成部品のうち、機械室ケーシング６１と機械室ＳＰ２内に配置される構成部品と室外ファンモータ３０とが一体的にまとめられてモジュール化されている。図６、図７及び図８に、機械室ケーシング６１と機械室ＳＰ２内に配置される構成部品と室外ファンモータ３０とがモジュール化された機械室モジュール８を示す。図６は、機械室モジュール８の正面図である。図７は、機械室モジュール８の平面断面図である。また、図８は、機械室モジュール８の構成を表すブロック図である。
【００３６】
詳細に説明すると、機械室モジュール８の構成部品は、機械室ケーシング６１、リアクタ６６、圧縮機２１、アキュムレータ２３、室外ファンモータ３０等でる。また、図８に示すように、機械室モジュール８では、各構成部分に内部冷媒配管およびワイヤハーネスやリード線等が接続されている。なお、図８においては、各構成部分を繋ぐ実線が内部冷媒配管を表し、破線がワイヤハーネスやリード線等の配線を表している。
【００３７】
この機械室モジュール８は、機械室ケーシング６１と機械室ＳＰ２内に配置される構成部品と室外ファンモータ３０とを上記の＜室外機の構成＞の欄で説明したように配置して、各構成を内部冷媒配管またはワイヤハーネスやリード線等によって接続することにより組み立てられる。そして、この機械室モジュール８は、室外機３の組立とは独立して組み立てられることが可能である。すなわち、この機械室モジュール８の組立は、室外機３の外部で行うことが可能であり、また、室外機３の組立に先立って行うことが可能となっている。
【００３８】
室外機３の組立を行う際には、機械室モジュール８は、図３に示すように、室外機３の正面視における左右方向の略中央であって、背面側に配置される。この室外機３では、室外熱交換器２４が平面視においてＵ字型の形状を有している。また、室外ファンモータ３０にプロペラファンが取り付けられることにより、機械室モジュール８はプロペラファン２９に対向するようにその後方に配置される。このため、機械室モジュール８は、室外熱交換器２４とプロペラファン２９とに囲まれた空間に配置される。機械室モジュール８がこのように室外機３に取り付けられることにより、上述したような室外機３の構成となる。
【００３９】
なお、図７においては、図３と同様に内部冷媒配管と配線とが省略されているが、実際には内部冷媒配管とワイヤハーネスやリード線等が設けられている。
＜組立工程＞
室外機３の組立工程は、図９に示すように大きく２つに分けられる。一つは、機械室モジュール８の組立工程Ｓ１であり、もう１つは、機械室モジュール８以外の部品と予め組み立てられた機械室モジュール８とを取り付ける室外機本体の組立工程Ｓ２である。
【００４０】
機械室モジュール８の組立工程Ｓ１は、室外機３の組立に先立って室外機３の外部で行われる。機械室モジュール８の組立工程Ｓ１は、機械室ケーシング６１の組立Ｓ１０、構成部品の取付Ｓ１１、配管作業Ｓ１２、結線作業Ｓ１３等により構成される。構成部品の取付Ｓ１１では、機械室ケーシング６１に対して、リアクタ６６、圧縮機２１、アキュムレータ２３、室外ファンモータ３０等が取り付けられる。配管作業Ｓ１２では、圧縮機２１、アキュムレータ２３等の冷媒回路構成部品が内部冷媒配管によって繋がれロウ付けされる。結線作業Ｓ１３では、リアクタ６６、圧縮機２１、室外ファンモータ３０等にワイヤハーネス等が接続される。なお、これらの機械室モジュール８の組立工程Ｓ１を構成する工程Ｓ１０，Ｓ１１，Ｓ１２，Ｓ１３は、上記以外の順番で行われてもよく、また、必ずしも各工程Ｓ１０，Ｓ１１，Ｓ１２，Ｓ１３ごとに行われなくてもよい。
【００４１】
室外機本体の組立工程Ｓ２は、室外機ケーシング５の組立Ｓ２０と、室外熱交換器２４等の取付Ｓ２１と、機械室モジュール８の取付Ｓ２２、プロペラファン２９の取付Ｓ２３等により構成される。機械室モジュール８の取付では、室外機ケーシング５の底フレーム５４への機械室ケーシング６１の螺子止めや四路切換弁２２と圧縮機２１等への内部冷媒配管のロウ付け等が行われる。プロペラファン２９の取付Ｓ２３では、室外ファンモータ３０へのプロペラファン２９の取付等が行われる。なお、これらの室外機本体の組立工程Ｓ２を構成する工程Ｓ２０，Ｓ２１，Ｓ２２，Ｓ２３は、上記以外の順番で行われてもよく、また、必ずしも各工程Ｓ２０，Ｓ２１，Ｓ２２，Ｓ２３ごとに行われなくてもよい。
【００４２】
＜特徴＞
（１）
機械室ＳＰ２は、圧縮機２１、アキュムレータ２３等を収容しており、比較的大きな空間を占める。もし、この機械室ＳＰ２を形成する機械室ケーシング６１が室外熱交換器２４とプロペラファン２９とに囲まれた空間の外側であって、正面視における左右方向に室外熱交換器２４と並んで設けられた場合には、室外機３の左右方向の寸法が少なくとも機械室ＳＰ２の分だけ大きくなる。
【００４３】
しかし、この空気調和機１の室外機３では、機械室ケーシング６１が室外熱交換器２４とプロペラファン２９とに囲まれた空間に配置されている。従って、室外熱交換器２４とプロペラファン２９とに囲まれた空間が、機械室ＳＰ２が設けられる空間として利用されており、室外機３の寸法が大きくなることが防止されている。このため、室外機３が小型化している。
【００４４】
また、この空気調和機１の室外機３では、前方からプロペラファン２９、室外ファンモータ３０、機械室ＳＰ２及び室外熱交換器２４の背部２４３が順に配置され、機械室ＳＰ２はプロペラファン２９の後方にプロペラファン２９に対向するように配置される。このため、正面視において、プロペラファン２９、室外ファンモータ３０、機械室ＳＰ２及び室外熱交換器２４の背部２４３が重なって配置されている。このため、この空気調和機１の室外機３では、特に、正面視における左右方向の寸法が小さくなっている。
【００４５】
（２）
（１）で述べたように、この空気調和機１の室外機３は小型化されている。このため、室外機ケーシング５も小型化されており、室外機ケーシング５の形成に必要な樹脂や金属板等の材料が削減されている。これにより、コストが低減している。
【００４６】
また、室外機３が小型化していることにより、室外機３の梱包に必要な梱包材も削減することができる。これにより、コストの一層の低減が可能である。
（３）
この空気調和機１の室外機３では、室外熱交換器２４が一体的に形成されたＵ字型の形状を有している。
【００４７】
室外熱交換器２４が複数に分割されて配置される場合、分割された室外熱交換器ごとに、その端部にＵ字管２４ｃを設ける必要がある。この場合、Ｕ字管２４ｃの部品点数が増加し、コストが増大する。
しかし、この空気調和機１の室外機３では、室外熱交換器２４が一体的に形成されているため、Ｕ字管２４ｃにかかるコストの増大が抑えられている。
【００４８】
また、室外熱交換器２４には、四路切換弁２２と電動弁２５とが接続されるが、室外熱交換器２４が複数に分割されて配置される場合、分割された室外熱交換器がそれぞれ四路切換弁２２と電動弁２５とに接続される。従って、接続に必要な内部冷媒配管が増大すると共に、分割された室外熱交換器へ接続される内部冷媒配管の取り回しも複雑になる。
【００４９】
しかし、この空気調和機１の室外機３では、室外熱交換器２４が一体的に形成されているため、内部冷媒配管の数が少なくなっており、室外熱交換機２４へ接続される内部冷媒配管の取り回しが簡易になっている。
（４）
この空気調和機１の室外機３では、機械室ケーシング６１と、機械室ＳＰ２内に配置される構成部品と、室外ファンモータ３０とが一体的にまとめられてモジュール化されている。このため、機械室モジュール８を室外機本体の組立とは独立して組み立てることが可能となっている。従って、機械室モジュール８を予め組み立てておき室外機本体の組立の際に予め組み立てられた機械室モジュール８を取り付けることが可能である。これにより、室外機本体の組立工数が削減される。
【００５０】
（５）
この空気調和機１の室外機３では、室外熱交換器２４が平面視においてＵ字型の形状を有しており、機械室ＳＰ２が、室外熱交換器２４に囲まれた空間に配置されている。そして、室外熱交換器２４は、室外機ケーシング５の背面、右側面及び左側面の３面に面するように配置されている。このため、この空気調和機１の室外機３では、３面から室外の空気を取り込むことができ、空気を取り込みやすくなっている。
【００５１】
また、Ｌ字型に形成された室外熱交換器が利用される場合、通常、室外機の２面から室外の空気が取り込まれる。このＬ字型に形成された室外熱交換器において上記のＵ字型の室外熱交換器２４と同等の表面積を確保しようとすると、少なくとも一つの面の面積が大きくなる。このため、室外機が大型化してしまう。この点において、本実施形態に係る空気調和機１の室外機３では、室外熱交換器２４が平面視においてＵ字型の形状を有しているため、室外機３が小型化している。
【００５２】
＜他の実施形態＞
上記の実施形態では、機械室ケーシング６１に圧縮機２１、アキュムレータ２３、リアクタ６６が収容されているが、機械室ケーシング６１に収容される構成部品はこれらに限られるものではない。上記の構成部品の一部が別の場所に配置されてもよく、逆に機械室ケーシング６１に収容される構成部品が増加してもよい。
【００５３】
【発明の効果】
請求項１に記載の空気調和機の室外機では、圧縮機がＵ字型の形状を有する室外熱交換器に囲まれた空間に配置される。従って、室外熱交換器に囲まれた空間が圧縮機を配置するための空間として利用される。このため、空気調和機の室外機を小型化することができる。
【００５４】
請求項２に記載の空気調和機の室外機では、機械室ケーシングが室外熱交換器に囲まれた空間に配置される。機械室ケーシングは、圧縮機を含む電気部品収容するため、圧縮機のみが設置されるよりも大きな設置空間が必要である。この空気調和機の室外機では、室外熱交換器に囲まれた空間が機械室ケーシングを配置する空間として利用される。このため、空気調和機の室外機をより小型化することができる。
【００５５】
請求項３に記載の空気調和機の室外機では、ファンモータが機械室ケーシングに取り付けられる。そして、ファンモータにはファンが取付られる。従って、この空気調和機の室外機では、機械室ケーシングとファンとが重なって配置される。このため、この空気調和機では、空気調和機の室外機をより小型化することができる。
【００５６】
請求項４に記載の空気調和機の室外機では、ファンと室外熱交換器とは、機械室ケーシングを囲むように配置される。このため、ファンと室外熱交換器とに囲まれた空間が、機械室ケーシングが配置される空間として利用されている。このため、空気調和機の室外機をより小型化することができる。
請求項５に記載の空気調和機の室外機では、室外熱交換器が室外機ケーシングの両側面側と背面側とに対向しており、ファンが正面側に対向している。このため、この空気調和機の室外機には、室外熱交換器室外機とファンとによって水平方向を囲まれた空間が形成されている。例えば、機械室ケーシングが、この空間の外側に室外熱交換器と水平方向に並んで配置された場合、室外機は、少なくとも機械室の大きさだけ大型化する。しかし、この空気調和機の室外機では、機械室ケーシングが室外熱交換器室外機とファンとによって水平方向を囲まれた空間に配置される。このため、空気調和機の室外機をより小型化することができる。
【図面の簡単な説明】
【図１】空気調和機の外観図。
【図２】冷媒回路及びその他の構成を表す概略図。
【図３】室外機の平面断面図。
【図４】室外機の側面断面図。
【図５】室外機の正面断面図。
【図６】機械室モジュールの正面図。
【図７】機械室モジュールの平面断面図。
【図８】機械室モジュールの構成を表すブロック図。
【図９】室外機の組立工程を表す図。
【符号の説明】
１　　　　　空気調和機
３　　　　　室外機
５　　　　　室外機ケーシング
２１　　　　圧縮機（電気部品）
２４　　　　室外熱交換器
２９　　　　プロペラファン（ファン）
３０　　　　室外ファンモータ（ファンモータ）
６１　　　　機械室ケーシング
６６　　　　リアクタ（電気部品）
２４３　　　背部
２４４　　　右側部（側部）
２４５　　　左側部（側部）
【図１】
2004132624.tif 000003
【図２】
2004132624.tif 000004
【図３】
2004132624.tif 000005
【図４】
2004132624.tif 000006
【図５】
2004132624.tif 000007
【図６】
2004132624.tif 000008
【図７】
2004132624.tif 000009
【図８】
2004132624.tif 000010
【図９】
2004132624.tif 000011